(57)【要約】【課題】床の全面に断熱材を敷設するとともに、断熱材にかかる荷重を低減することが可能な、断熱床構造体およびその施工方法を提供すること【解決手段】複数の基礎の立ち上がり部にそれぞれ配された横架材と、隣接する横架材間に架け渡された床材と、床材上の略全面に配され、所定の圧縮強度を持った断熱材と、断熱材と略同じ高さを有し、断熱材中に部分的に埋め込まれた複数の荷重受け具と、断熱材上に配された床下地材と、を備える、断熱床構造体。【選択図】図１
2019143382.tif 000002
【特許請求の範囲】
【請求項１】
複数の基礎の立ち上がり部にそれぞれ配された横架材と、
隣接する前記横架材間に架け渡された床材と、
前記床材上の略全面に配され、所定の圧縮強度を持った断熱材と、
前記断熱材と略同じ高さを有し、該断熱材中に部分的に埋め込まれた複数の荷重受け具と、
前記断熱材上に配された床下地材と、
を備えることを特徴とする、断熱床構造体。
【請求項２】
荷重受け具は、筒状の部材である、請求項１に記載の断熱床構造体。
【請求項３】
前記床下地材の端部に相当する位置に、前記荷重受け具が少なくとも配されている、請求項１または２に記載の断熱床構造体。
【請求項４】
床にかかる荷重の大きさに応じて、前記荷重受け具の配置間隔が変えられている、請求項１ないし３のいずれか一項に記載の断熱床構造体。
【請求項５】
複数の基礎の立ち上がり部にそれぞれ横架材を配する工程と、
隣接する横架材間に、床材を架け渡す工程と、
前記床材上の略全面に、所定の圧縮強度を持った断熱材を配する工程と、
前記断熱材と略同じ高さを有する複数の荷重受け具を、該断熱材中に埋め込む工程と、
前記断熱材上に床下地材を配する工程と、
を備えることを特徴とする、断熱床構造体の施工方法。
【請求項６】
荷重受け具は、筒状の部材である、請求項５に記載の断熱床構造体の施工方法。
【請求項７】
前記荷重受け具を、前記断熱材中に埋め込む工程は、
断熱材の一部を、前記荷重受け具の形状に合わせて抜き取る工程と、
前記断熱材の、前記一部が抜き取られた穴に、前記荷重受け具を埋め込む工程と、
前記加重受け具の内部に、前記抜き取った断熱材の一部を埋め戻す工程と、
を備える、請求項５に記載の断熱床構造体の施工方法。
【発明の詳細な説明】
【技術分野】
【０００１】
本発明は、断熱床構造体およびその施工方法に関する。
【背景技術】
【０００２】
従来の断熱性を持たせた床下地構造として特許文献１に示される構造のものがある。この床下地構造においては、例えば図１１に示すように、べた基礎等の床基盤５０上に支持脚５１を所定間隔おきに立設し、その支持脚５１の列に目地部架設材５２を装着した後、この目地部架設材５２の間に断熱パネル５３を架け渡し、これら断熱パネル５３の上にベースパネル５４、床仕上げ材５５を敷設した構成とされている。
ベースパネル５４は目地部架設材５２の上に配されているため、ベースパネル５４の荷重は目地部架設材５２にかかり、断熱パネル５３には殆どかからない。
【先行技術文献】
【特許文献】
【０００３】
【特許文献１】特開２０００−１９４０号公報
【発明の概要】
【発明が解決しようとする課題】
【０００４】
しかしながら、この構造では、目地部架設材５２の部分では断熱パネル５３が張られない部分が存在し、断熱性能が十分ではなかった。
そこで、床の全面に断熱パネル５３を張ろうとすると、その上に配されるベースパネル５４の荷重が断熱パネル５３に加わり、断熱パネル５３が潰れてしまう、といった問題が発生する。
【０００５】
本発明は、このような従来の実情に鑑みて提案されたものであり、本発明の目的は、床の全面に断熱材を敷設するとともに、断熱材にかかる荷重を低減することが可能な、断熱床構造体およびその施工方法を提供することにある。
【課題を解決するための手段】
【０００６】
本発明者らは、鋭意検討を重ねた結果、断熱材中に、断熱材と略同じ高さを有する荷重受け具を埋め込み、荷重をこの荷重受け具で受けることで、断熱材にかかる荷重を低減し、上記目的を達成できることに想到し、本発明を完成させるに至った。
すなわち、本発明は以下のとおりである。
［１］
複数の基礎の立ち上がり部にそれぞれ配された横架材と、
隣接する前記横架材間に架け渡された床材と、
前記床材上の略全面に配され、所定の圧縮強度を持った断熱材と、
前記断熱材と略同じ高さを有し、該断熱材中に部分的に埋め込まれた複数の荷重受け具と、
前記断熱材上に配された床下地材と、
を備えることを特徴とする、断熱床構造体。
［２］
荷重受け具は、筒状の部材である、［１］に記載の断熱床構造体。
［３］
前記床下地材の端部に相当する位置に、前記荷重受け具が少なくとも配されている、［１］または［２］に記載の断熱床構造体。
［４］
床にかかる荷重の大きさに応じて、前記荷重受け具の配置間隔が変えられている、［１］ないし［３］のいずれかに記載の断熱床構造体。
［５］
複数の基礎の立ち上がり部にそれぞれ横架材を配する工程と、
隣接する横架材間に、床材を架け渡す工程と、
前記床材上の略全面に、所定の圧縮強度を持った断熱材を配する工程と、
前記断熱材と略同じ高さを有する複数の荷重受け具を、該断熱材中に埋め込む工程と、
前記断熱材上に床下地材を配する工程と、
を備えることを特徴とする、断熱床構造体の施工方法。
［６］
荷重受け具は、筒状の部材である、［５］に記載の断熱床構造体の施工方法。
［７］
前記荷重受け具を、前記断熱材中に埋め込む工程は、
断熱材の一部を、前記荷重受け具の形状に合わせて抜き取る工程と、
前記断熱材の、前記一部が抜き取られた穴に、前記荷重受け具を埋め込む工程と、
前記加重受け具の内部に、前記抜き取った断熱材の一部を埋め戻す工程と、
を備える、［５］に記載の断熱床構造体の施工方法。
【発明の効果】
【０００７】
本発明によれば、床の全面に断熱材を敷設するとともに、断熱材にかかる荷重を低減することが可能な、断熱床構造体およびその施工方法を提供することができる。
【図面の簡単な説明】
【０００８】
【図１】本実施の形態にかかる断熱床構造体の一構成例を示す部分解斜視図である。
【図２】断熱床構造体の一構成例を示す部分解斜視図である。
【図３】本実施形態で用いられる荷重受け具の一例を示す斜視図である。
【図４】断熱床構造体の施工方法を説明するための図である。
【図５】断熱床構造体の施工方法を説明するための図である。
【図６】断熱床構造体の施工方法を説明するための図である。
【図７】断熱床構造体の施工方法を説明するための図である。
【図８】断熱床構造体の施工方法を説明するための図である。
【図９】断熱床構造体の施工方法を説明するための図である。
【図１０】断熱床構造体の他の構成例を示す部分解斜視図である。
【図１１】従来の床下地構造を示す斜視図である。
【発明を実施するための形態】
【０００９】
以下、本発明の実施の形態について、図面を参照しながら説明する。
図１および図２は、本実施の形態にかかる断熱床構造体の一構成例を示す部分解斜視図である。
本実施の形態に係る断熱床構造体は、複数の基礎１０の立ち上がり部１０ａまたは鋼製束１０ｂにそれぞれ配された横架材１１と、隣接する横架材１１間に架け渡された床材１２と、床材１２上の略全面に配され、所定の圧縮強度を持った断熱材１３と、断熱材１３と略同じ高さを有し、断熱材１３中に部分的に埋め込まれた複数の荷重受け具２０と、断熱材１３上に配された床下地材１４と、を備えることを特徴とする。
【００１０】
すなわち、本実施の形態に係る断熱床構造体では、断熱材１３に荷重受け具２０が部分的に埋め込まれており、この荷重受け具２０が、断熱材１３上に配された床下地材１４を支持しているので、床上の荷重が断熱材１３に直接作用することがない。このため、繰り返し荷重を受ける等により破壊されるような断熱材１３であっても床下に適用することが可能になる。
荷重受け具２０で荷重を支えることで、断熱材１３を、潰れることなく床の全面に配することができ、断熱性能を向上することができる。
なお、通常は断熱材１３の上に床下地材１４を介して床仕上げ材１５が敷設される。
【００１１】
基礎１０は、床材１２およびその上に配される断熱材１３等を支持、固定するものであり、この機能を有するものであれば、材料や構造を限定するものではなく、コンクリート基礎或いは鉄骨基礎であってよい。
【００１２】
横架材１１は、例えば、基礎１０の立ち上がり部１０ａまたは鋼製束１０ｂ上に配される木材製の土台である。
なお、基礎１０の立ち上がり部１０ａは、例えば、べた基礎等の床基盤上に所定間隔おきに立設された支持脚のようなものであってもよい。
【００１３】
床材１２は、幅方向の両端が横架材１１に載置されて支持されており、予め設定された負担荷重に充分に耐え得る曲げ強度と剛性を有している。即ち、床材１２としては前記条件を満足するものであればよく、コンクリート系の床材、木質系の床材、或いは鋼板等を選択的に採用することが可能である。
【００１４】
断熱材１３は、長方形の平面形状を有しており、床材１２の下面側と該床材１２を含む室内側とを熱的に遮断する機能を有するものであり、高い断熱性を有し且つ所定の圧縮強度を有するものが用いられている。高い断熱性能を有する断熱材１３としては、ポリスチレン（ＰＳ）やフェノール樹脂（ＰＦ）等の発泡体からなるパネルを用いることができる。
断熱材１３に必要な厚みとしては、一般的には２５〜５０ｍｍ程度である。
なお、断熱材１３は、厚いほど曲げ強度が高くなり好ましいが、厚いほど階高（天井高）が低くなる。
【００１５】
断熱材１３は、厚さが１０ｍｍ以上の例えばフェノールフォームによって形成されていることが好ましい。
フェノールフォームは、フェノール樹脂に種々の変性を行い、発泡硬化させて得られたものであり、１００ミクロン未満の極めて微細な独立した気泡を包含している。この独立気泡を包含していることにより、その熱伝導率は、長期間にわたってほとんど変化しないという特長を有している。
断熱材１３としてはフェノールフォームを用いることにより、断熱性能をさらに向上させることができるので、床を薄くして居室空間体積を増大させることが可能になる。
【００１６】
このようなフェノールフォームからなる断熱材１３として、旭化成建材株式会社製の「ネオマフォーム（商品名）」が好適に使用される。この「ネオマフォーム」は、フェノールフォームの有する特長をさらに高性能に発揮させたもので、熱伝導率λが、λ＝０．０２０Ｗ／ｍ・Ｋ（ＪＩＳ  Ａ  １４１２「熱絶縁材の熱抵抗及び熱伝導率の測定方法」に定められる測定手順に従って測定）という高レベルの断熱性能を有している。
【００１７】
断熱材１３の種類としては、上述したフェノールフォーム以外にも、ＸＰＳ（押し出し法ポリエチレンフォーム）なども用いることができる。しかし、圧縮強度がフェノールフォームより弱いＥＰＳ（ビーズ法ポリエチレンフォーム）や繊維系断熱材（グラスウールやロックウールなど）は、本実施形態の断熱床構造体への使用は想定していない。
【００１８】
断熱材１３中には、荷重受け具２０が部分的に埋め込まれている。
荷重受け具２０としては、塩化ビニル製の円管（塩ビ管）を所定の長さ（高さ）に切断した円筒状の部材を用いることができる。この円筒状の部材には、例えば呼び径３０ｍｍ（外径３８ｍｍ、内径３１ｍｍ）の一般的な塩ビ管を用いることができる。この径であれば、後述するように断熱材１３に穴をあける工具の径との適合性がよい。荷重受け具２０の高さ（長さ）は、断熱材１３の厚さに合わせて切断して使用される。塩ビ管であれば現場で切断する為、何ｍｍでも対応可能である。
【００１９】
断熱材１３に係る荷重を荷重受け具２０が支えるためには、荷重受け具２０の断面積（樹脂部）が大きいほどよいが、断熱欠損が大きくなる。また、荷重受け具２０の圧縮強度も高いことが好ましいがが、断面積を小さくし過ぎると支圧により下地合板にめり込む可能性がある。これらの観点から、荷重受け具２０の厚みは１〜２ｍｍ程度とすることが好ましい。
【００２０】
図３は、本実施形態で用いられる荷重受け具２０の他の一例を示す斜視図である。
荷重受け具２０は、筒状に形成された筒状部２１を有し、筒状部２１の下部は、下方を開放状態とした窪み部２２が形成されている。また、窪み部２２の最も凹んだ部位から、筒状部２１に対して外方に突出して形成されたフランジ部２３を有している。図３に示す例では、フランジ部２３は、筒状部２１の周囲に９０°の間隔で４か所設けられている。これら荷重受け具２０の筒状部２１およびフランジ部２３は一体的に形成され、ポリプロピレン樹脂等の合成樹脂から構成されている。さらに、荷重受け具２０には、作業時等の持ち手になる片持ち部分２４が突出するように設けられている。
【００２１】
荷重受け具２０の筒状部２１は、円筒形状であることが好ましい。これにより横方向の支持耐力の異方性がなくなり、より強固に、荷重を支持することができる。
荷重受け具２０が完全な円筒体ではなく、筒状部２１の下部の一部を凹ませて窪み部２２とすることにより、荷重受け具２０を断熱材１３に埋め込む際の作業性を向上することができる。すなわち、図３に示す荷重受け具２０は、下部の一部を凹ませて窪み部２２とされているので、断熱材１３に事前に穴あけをせずに、荷重受け具２０を直接、断熱材１３に叩き込むことができる。また、９０°ごとに設けられたフランジ部２３があることにより、荷重受け具２０を断熱材１３に埋め込む際の位置合わせが容易となるほか、埋め込んだ後のズレが防止される。また、フランジ部２３があることにより、荷重受け具２０の耐荷重をさらに向上することができる。
【００２２】
図３に示す荷重受け具２０は、例えば内径が２６ｍｍであり、高さが２５ｍｍ〜４０ｍｍである。金型のサイズを変えることにより、様々な大きさの荷重受け具２０を作製することができる。
【００２３】
荷重受け具２０の高さは、断熱材１３の厚さとほぼ同じであることが好ましい。荷重受け具２０の高さが、断熱材１３の厚みに対して低すぎても、断熱材１３中に埋まってしまい、本発明の目的を達成できない。一方、高すぎても、断熱材１３上に配される床下地材１４が、断熱材１３に対して浮いた状態になってしまう。
【００２４】
荷重受け具２０の筒状部２１の中にも、断熱材１３がはめ込まれていることが好ましい（図８（ｄ）参照）。これにより、耐荷重を確保することができるとともに、断熱材１３の抜けがなく、断熱材１３の面積を確保して、断熱性能をさらに十分なものとすることができる。
【００２５】
各荷重受け具２０の配置としては、特に限定されるものではないが、荷重受け具２０一つ当たりの負担荷重と設置数とのバランスで決定される。例えば３０３ｍｍ以上４５５ｍｍ以下の相互間隔で配置される。この荷重受け具２０の相互間隔は、床下地材１４の曲げ強度、剛性を規準として設定され、いわゆる尺モジュールの場合は、断熱材１３１枚が３尺×６尺あるいは１尺×６尺であることから、荷重受け具２０の相互間隔は１尺すなわち３０３ｍｍ間隔が好ましい。
【００２６】
後述する床下地材１４の端部に相当する位置に、荷重受け具２０が少なくとも配されていることが好ましい。これにより床下地材１４および床仕上げ材１５にかかる荷重を、床下地材１４の端部に配された荷重受け具２０によって、より確実に支持することができ、床全体の耐力を向上することができる。床下地材１４の端部から内側に荷重受け具２０が寄ると、荷重受け具２０より外側の片持ち（持ち出し）部分の合板が曲げに弱くなってしまう。
【００２７】
床にかかる荷重の大きさに応じて、荷重受け具２０の配置間隔が変えられていることが好ましい。人間の動線、家具の配置、等によって、床にかかる荷重も変わってくるため、より大きな荷重かかかることが想定される部分では、荷重受け具２０の配置間隔を密に（荷重受け具２０の数を多く）することが好ましい。
【００２８】
例えば図２に示すように、基本的に、平部では荷重受け具２０の配置間隔を４５５ｍｍ間隔とする。しかし、階段前の床では、子供がジャンプしたりして飛び降りるなど、より大きな荷重がかかるので、補強するために荷重受け具２０の配置間隔を密に（荷重受け具２０の数を多く）することが好ましい。例えば、荷重受け具２０の配置間隔を３０３ｍｍ間隔とすることが好ましい。これにより、かかる荷重を荷重受け具２０によって、より確実に支持することができる。
【００２９】
床下地材１４は、床仕上げ材１５と断熱材１３との間に配置される。  床下地材１４があることにより、床仕上げ材１５から伝わる荷重を荷重受け具２０に伝達する為、床下地材１４の曲げ強度、剛性が高いほど荷重受け具２０の間隔を広く（設置個数を少なく）できる。なお、床下地材１４は、厚いほど曲げ強度が高くなり好ましいが、厚いほど階高（天井高）が低くなる。また、床下地材１４は、床仕上げ材１５の施工下地（床仕上げ材１５を留めるビスや釘の受け材、カーペットなどの場合は接着剤下地として）となる。
【００３０】
床下地材１４，床仕上げ材１５は一義的に設定されるものではなく、対応する床上空間の機能や、住む人の嗜好等に合わせて適宜設定されるものである。
また、床下地材１４としては例えばパーティクルボード、構造用合板が使用され、床仕上げ材１５としては例えばフローリング板が使用される。
【００３１】
上述したような断熱床構造体では、床材１２の上面に、全面にわたって断熱材１３が配置されており、床材１２は断熱材１３を介して基礎１０に固定されているため、床下と室内との断熱は床の全面にわたって連続した断熱材１３によって実行される。このため、均等な断熱性能を発揮することが可能である。
【００３２】
このような断熱床の施工方法について、以下説明する。
図４〜図８は、本実施形態にかかる断熱床の施工方法を説明するための斜視図である。
本発明の断熱床の施工方法は、複数の基礎１０の立ち上がり部１０ａまたは鋼製束１０ｂにそれぞれ横架材１１を配する工程と、隣接する横架材１１間に、床材１２をかけ渡す工程と、床材１２上の略面に、所定の圧縮強度を持った断熱材１３を配する工程と、断熱材１３と略同じ高さを有する荷重受け具２０を、断熱材１３中に埋め込む工程と、断熱材１３上の全面に床下地材１４を配する工程と、を備える。
【００３３】
（１）複数の基礎１０の立ち上がり部１０ａまたは鋼製束１０ｂに横架材１１を配する。
図４に示すように、建築物躯体の基礎１０の等の上に、横架材１１を配していく。
【００３４】
（２）隣接する横架材１１間に、床材１２を架け渡す。
図５に示すように、隣接する横架材１１間に、合板等からなる床材１２を、架け渡す。このとき、隣接する床材１２の端部同士は、横架材１１上で互いに突き合わせられて、基礎１０の床下空間を塞ぐように隙間なく配される。
【００３５】
（３）床材１２上の全面に、所定の圧縮強度を持った断熱材１３を配する。
図６に示すように、床材１２上に、パネル状の断熱材１３を縦横に並べる。このとき、断熱材１３は、床材１２の全面にわたって配置される。
【００３６】
（４）断熱材１３と略同じ高さを有する荷重受け具２０を、断熱材１３中に埋め込む（図７）。
この工程は、荷重受け具２０に塩ビ管を用いた場合、例えば以下の手順により行われることが好ましい。
まず図８（ａ）に示すように、断熱材１３の一部１３ａを、荷重受け具２０の形状に合わせて抜き取る。例えば断熱材１３を貫通するように貫通穴１３ｂをあける。この貫通穴１３ｂの直径は、荷重受け具２０とほぼ同じ大きさとする。貫通穴１３ｂの形成には、通常用いられている穴あけ用工具を用いることができる。
【００３７】
このとき、断熱材１３の側部に貫通穴１３ｂを形成する場合は、断熱材１３の側部に貫通穴１３ｂの半分を形成し、隣接する断熱材１３の側部に貫通穴１３ｂの半分を形成し、突き合わせられることにより一つの貫通穴１３ｂとして形成される。隣接する２枚の断熱材１３にわたって形成される貫通穴１３ｂは、作業の手間と正確性の観点から一度に形成されることが好ましい。これにより、床面に平面的に並べられた各断熱材１３に、貫通穴１３ｂが一定の間隔で配置された状態となる。
【００３８】
図８（ｂ）に示すように、断熱材１３の貫通穴１３ｂに、荷重受け具２０を埋め込む。
これら貫通穴１３ｂに図８（ｂ）に示すように１個ずつ荷重受け具２０を配置する。
このように、断熱材１３に荷重受け具２０を配置するための貫通穴１３ｂを開け、その貫通穴１３ｂに荷重受け具２０を設置することにより、簡単に荷重受け具２０を所望の位置に配置することができる。
【００３９】
図８（ｃ），（ｄ）に示すように、荷重受け具２０の筒状部２１の内部に、抜き取った断熱材１３の一部１３ａを埋め戻す。抜き取った断熱材１３の一部１３ａは、断熱材１３を抜き取る際の削りしろで少し小さくなるため、筒状部２１の内部に容易にはめ込むことができる。
荷重受け具２０の筒状部２１の中にも、断熱材１３の一部１３ａをはめ込むことにより、貫通穴１３ｂの部分での断熱材１３の抜けがなくなり、全面に断熱材１３を配することができ、断熱性能をさらに十分なものとすることができる。
【００４０】
（５）断熱材１３上の全面に床下地材１４を配する。
図９に示すように、これら荷重受け具２０の上に床下地材１４を載せ、平面的に並べる。このとき、荷重受け具２０が配置されている位置で各床下地材１４の上からビス（図示略）を打ち込み、荷重受け具２０を床下地材１４に固定することが行われる。最後に床下地材１４の上に床仕上げ板を敷設して終了する。
【００４１】
このような施工において、荷重受け具２０は例えば３０３ｍｍ〜４５５ｍｍ間隔で設置されるため、多数の荷重受け具２０が使用されるが、これら荷重受け具２０は、断熱材１３を並べた後に、断熱材１３に複数の貫通穴１３ｂをい形成し、その貫通穴１３ｂに１個ずつ配置していくだけで、縦横に整列した様態とすることができる。
【００４２】
本発明の断熱床構造体及びその施工方法によれば、床下の全面に断熱材１３を並べているので、優れた断熱性を発揮することができるのはもちろん、床下地材１４を荷重受け具２０によって支持しているので、床上の荷重が断熱材１３に直接作用することがなく、このため、繰り返し荷重を受ける等により破壊されるような断熱材１３であっても床下に適用することができ、断熱性能のより高いものを使用することが可能になる。荷重受け具２０を設置するだけで荷重受け具２０を所望間隔で配置することができ、その施工を容易にすることができる。特に、図３に示す荷重受け具２０を用いることで、断熱材１３に事前に穴あけをせずに、荷重受け具２０を直接、断熱材１３に叩き込むことができ、塩ビ管を用いた場合と比べて施工を容易にすることができる。
【００４３】
なお、前記実施形態においては、断熱材として、高性能のフェノールフォームを適用したが、本発明においては、求められる断熱性能に応じて、発泡ポリスチレンや一般的なウレタンフォーム等を使用してもよい。さらに、荷重受け具として、円筒形状の筒状部とフランジ部とが一体に形成されてなる構成としたが、他の構成を採用してもよい。
また、施工方法によっては、図１０に示すように、床材１２と断熱材１３を上下逆にすることで、床材１２が床下地材１４を兼ねる構成にもすることができる。この場合、大引きの高さを、断熱材１３の厚さ分下げる工夫が必要になる。このようにすることで、階高（天井高）が低くなることを防止できる。
その他、本発明の具体的な構成に関しては、前記実施形態のものに限られることはなく、本発明の要旨を逸脱しない範囲の設計変更等も含まれる。
【００４４】
以上、本発明の実施の形態について説明してきたが、本発明はこれに限定されるものではなく、発明の趣旨を逸脱しない範囲で適宜変更可能である。
【産業上の利用可能性】
【００４５】
本発明による断熱床構造体を用いることで、床の全面にわたって均一に断熱性能が確保されたものとなり、家屋等の断熱床として広く利用することができる。
【符号の説明】
【００４６】
１０    ：基礎
１０ａ  ：立ち上がり部
１０ｂ  ：鋼製束
１１    ：横架材
１２    ：床材
１３    ：断熱材
１３ａ  ：断熱材の一部
１３ｂ  ：貫通穴
１４    ：床下地材
１５    ：床仕上げ材
２０    ：荷重受け具
２１    ：筒状部
２２    ：窪み部
２３    ：フランジ部
２４    ：持ち出し部分
【図１】
2019143382.tif 000003
【図２】
2019143382.tif 000004
【図３】
2019143382.tif 000005
【図４】
2019143382.tif 000006
【図５】
2019143382.tif 000007
【図６】
2019143382.tif 000008
【図７】
2019143382.tif 000009
【図８】
2019143382.tif 000010
【図９】
2019143382.tif 000011
【図１０】
2019143382.tif 000012
【図１１】
2019143382.tif 000013